(57)【要約】【課題】（１）現状の黒板消しクリーナーの布製フィルターは付着物が塩基性であるにも関わらず手洗いによる水洗いが欠かせず、使用者の健康や外部の環境にも悪影響を与えている。（２）現状の紙パック式吸引型掃除機の紙パックは頻繁に換えられるほど安価なものではなく、数ヶ月間放置されることにより、カビや細菌の繁殖、悪臭等の問題を抱えている。【解決手段】（１）  黒板消しクリーナーに、安価に自作可能な紙パックの作成方法を提案し、それを装着するためのアタッチメントを提供する。（２）  紙パック式吸引型掃除機に安価に自作可能な紙パックの作成方法を提案し、それを装着するためのアタッチメントを提供する。【選択図】図１
2018149388.tif 000002
【特許請求の範囲】
【請求項１】
クッキングペーパー、不織布、布などの家庭や学校で容易に入手可能な濾材を任意の方法で袋状に加工した袋状フィルターを、黒板消しクリーナーの集塵室に取り付けて集塵フィルターとして使用するための、次の要件を備えることを特徴とする手作り紙パック用アタッチメント。
（イ）前記袋状フィルターの開口部を内側から支えて閉じないようにするための筒状の内面支持体をもつこと
（ロ）筒状の前記内面支持体の一端の開口部を吸入口とし、もう一端の開口部を排出口とし、前記吸入口の外周にはフランジが設けられ、前記フランジには黒板消しクリーナー本体の集塵室に取り付け、空気漏れを防ぐためのパッキンが設けられること
（ハ）前記袋状フィルターの開口部を、前記内面支持体の排出口側から被せた後に、前記袋状フィルターの開口部を外周側から支えて開かないようにするための外面支持体をもつこと
（ニ）前記内面支持体の外周の、前記フランジ付近から排出口側に向けて幅数ｃｍの範囲には、前記内面支持体と前記外面支持体との間に前記袋状フィルターを挟み込んで嵌合するためのガイド溝が備えられていること
（ホ）前記内面支持体の前記ガイド溝の排出口側の終端には数ｍｍの段差を設け、前記外面支持体が前記袋状フィルターを挟み込んだ際に前記袋状フィルターが容易に抜けない形状を備えていること
（へ）前記外面支持体には輪ゴム、面ファスナーテープなどの、平易に入手可能な材料を用いることができること
【請求項２】
クッキングペーパー、不織布、布などの家庭や学校で容易に入手可能な濾材を任意の方法で袋状に加工した袋状フィルターを、電気掃除機の集塵室に取り付けて集塵フィルターとして使用するための、次の要件を備えることを特徴とする電気掃除機用紙パックアタッチメント。
（イ）前記袋状フィルターの開口部を内側から支えて閉じないようにするための筒状の内面支持体をもつこと
（ロ）筒状の前記内面支持体の一端の開口部を吸入口とし、もう一端の開口部を排出口とし、前記吸入口の外縁に沿って支持板が設けられ、前記支持板は掃除機本体の集塵室に確実に着脱可能な形状をしていること
（ハ）前記袋状フィルターの開口部を、前記内面支持体の排出口側から被せた後に、前記袋状フィルターの開口部を外周側から支えて開かないようにするための外面支持体をもつこと
（ニ）前記内面支持体の外周の、前記支持板付近から排出口側に向けて幅数ｃｍの範囲には、前記内面支持体と前記外面支持体との間に前記袋状フィルターを挟み込んで嵌合するためのガイド溝が備えられていること
（ホ）前記内面支持体の前記ガイド溝の排出口側の終端には数ｍｍの段差を設け、前記外面支持体が前記袋状のフィルターを挟み込んだ際に前記袋状のフィルターが容易に抜けない形状を備えていること
（へ）前記外面支持体には輪ゴム、面ファスナーテープなどの、平易に入手可能な材料を用いることができること
【請求項３】
クッキングペーパー、不織布、布などの家庭や学校で容易に入手可能な濾材を任意の方法で袋状に加工した袋状フィルターを、電気掃除機の集塵室に取り付けて集塵フィルターとして使用するための、次の要件を備えることを特徴とする電気掃除機用紙パックアタッチメント。
（イ）前記袋状フィルターの開口部を内側から支えて閉じないようにするための筒状の内面支持体をもつこと
（ロ）前記内面支持体は、掃除機本体のオリジナルの紙パックの支持板部分かもしくは前記オリジナルの紙パックの支持板部分を模した形状の支持板の塵埃吸い込み口に通気可能な状態で固定することができること
（ハ）筒状の前記内面支持体の一端の開口部を吸入口とし、もう一端の開口部を排出口として、前記内面支持体は吸入口部材と排出口部材の二つの部材に分かれること
（ニ）前記吸入口部材の吸入口側の外縁と、前記排出口部材の吸入口側の外縁にはそれぞれフランジが設けられ、前記吸入口部材の排出口側と、前記排出口部材の排出口側にはそれぞれ筒状部分が設けられ、前記吸入口部材の前記筒状部分が、前記排出口部材の内側に入り込む形状であること
（ホ）前記吸入口部材の前記筒状部分は、前記支持板の塵埃吸い込み口の吸入側から差し込まれ、前記排出口部材は前記支持板の塵埃吸い込み口の排出側から出た前記吸入口部材の前記筒状部分に対し、外側から被せるように組み合わせて、前記支持板に対し、前記それぞれのフランジが前記支持板に接触する位置まではめ込んで固定されること
（へ）前記袋状フィルターの開口部を、前記内面支持体の排出口側から被せた後に、前記袋状フィルターの開口部を外周側から支えて開かないようにするための外面支持体をもつこと
（ト）前記内面支持体の外周の、前記支持板付近から排出口側に向けて幅数ｃｍの範囲には、前記内面支持体と前記外面支持体との間に前記袋状フィルターを挟み込んで嵌合するためのガイド溝が備えられていること
（チ）前記内面支持体の前記ガイド溝の排出口側の終端には数ｍｍの段差を設け、前記外面支持体が前記袋状のフィルターを挟み込んだ際に前記袋状のフィルターが容易に抜けない形状を備えていること
（リ）前記外面支持体には輪ゴム、面ファスナーテープなどの、平易に入手可能な材料を用いることができること
【発明の詳細な説明】
【技術分野】
【０００１】
本発明は紙パック式吸引掃除機および黒板消しクリーナーに対し、キッチンペーパー等を用いて平易に制作した紙パック（フィルター）を使用するためのアタッチメントに関するものである。
【背景技術】
【０００２】
黒板消しクリーナーは現状、どのメーカーに関しても発泡ポリウレタンと布製のフィルターとを組み合わせた集塵器を用いており、学校では児童・生徒やクラス担任が定期的にフィルターを水洗いする。チョークの屑は塩基性であるため水洗い時に指先を傷めることが多いことなどからも、紙パック式のフィルターを要望する声は根強い。しかし、かつて生産されていにもかかわらず、高価なためか需要がのびず、廃盤となった例がある。
紙パック式吸引掃除機のフィルターに関しては、家電メーカーやサプライヤーが生産しているが、どちらも安価ではないため１つの紙パックを大事に使う傾向があり、数ヶ月の間ごみを溜めたまま放置されることが少なくない。そのため、フィルター内部でカビが生えたり雑菌が繁殖するといった不衛生な面が残る。
【先行技術文献】
【特許文献】
【０００３】
【特許文献１】特開平１１−２２５９２６  電気掃除機用集塵フィルターおよびそれを用いた電気掃除機
【発明の概要】
【発明が解決しようとする課題】
【０００４】
（１）現状の黒板消しクリーナーの布製フィルターは、内容物が塩基性であるにも関わらず手洗いによる水洗いが欠かせず、使用者の健康や外部の環境にも悪影響を与えている。
（２）現状の紙パック式吸引型掃除機の紙製フィルターは、頻繁に換えられるほど安価なものではなく、数ヶ月間放置されることにより、カビや細菌の繁殖、悪臭等の問題を抱えている。
【課題を解決するための手段】
【０００５】
（１）  黒板消しクリーナーに、平易に自作可能なフィルターの作成方法を提案し、それを装着するためのアタッチメントを提供する。
（２）  紙パック式吸引型掃除機に、平易に自作可能なフィルターの作成方法を提案し、それを装着するためのアタッチメントを提供する。
【発明の効果】
【０００６】
（１−１）黒板消しクリーナーのフィルター掃除は「罰当番」に相当するほど時間がかかり、流し場を汚し、指先の皮膚を傷めるやっかいな仕事である。しかし、手作り紙パックを利用することにより、制作時間を含めても交換は半分以下の時間で済み、週ごとの当番にしても嫌がられることがない。
（１−２）小学校低学年の児童にも制作可能なものであり、児童が制作したものが実際に役に立つことを直に体験できることから達成感があり、教育上の効果も高い。
（２−１）市販の紙パックの１０分の１程度のコストで制作できる。
（２−２）制作に時間がかからず、しかも安価であることから、掃除ごとに交換するなどの習慣化がしやすく、本来衛生的であるはずの紙パック式の原点に戻ることができる。
【図面の簡単な説明】
【０００７】
【図１】実施例１の黒板消しクリーナー用アタッチメントの概観を示す斜視図
【図２】実施例１の斜視断面図
【図３】実施例１を軟質素材で一体成型する場合の提案を示す斜視断面図
【図４】実施例１のフィルター（小型の紙パック）を自作する過程を示す斜視図
【図５】実施例１のフィルターを装着する段階を示す斜視図
【図６】実施例１のフィルターを装着後の斜視図
【図７】実施例２の概観を示す(a)分解斜視図および、(b)断面図
【図８】実施例３を側面から見た(a)分解斜視図および、(b)斜視図
【図９】実施例３を正面から見た(a)分解断面図および、(b)断面図
【図１０】実施例２および３に装着する大型紙パックの制作の一例を示す斜視図
【図１１】実施例３に黒板消しクリーナー向けの小型紙パックを装着した斜視図
【図１２】実施例３に大型の紙パックを装着した斜視図
【図１３】実施例４を示す分解斜視図
【図１４】実施例４の(a)軟質ゴムチューブ部分を折り返す前、(b)折り返した後を示す断面図
【発明を実施するための形態】
【０００８】
黒板消しクリーナーのフィルターに関しては、全メーカー共通の形状であるためこの開口部部分だけを模して、軟質ゴムや硬質プラスチックなどで制作する。
紙パック式の吸引掃除機に関しては、家電メーカー純正やサプライ品メーカー製の紙パックの厚紙製支持板部分をそのまま利用するか、硬質プラスチックなどに置き換えて一体成型するなどの方法が考えられる。
また、フィルター部分に関しては、現在入手し易い素材の例としてクッキングペーパーを取り上げ、小中学生などの児童・生徒がお手伝いとして参加できるよう、ステープラーだけで制作できる方法を用意した。
なお素材に関しては、軟質ゴム、硬質プラスチックなどに限定しないため、適切と考えられる材料に読み換えてよい。
【実施例】
【０００９】
（実施例１）
図１は黒板消しクリーナーに手作りのフィルターを確実に取り付けるためのアタッチメント１を示す。図２の断面図に示すように、軟質ゴムなどを用いたパッキン１１の内側の溝Ｃ’に、硬質プラスチック製の内面支持体１２のフランジＣを嵌め込み、固定したものを用いる。また、図３に示すように、全体を軟質ゴムなどで一体成型することも考えられ、その場合には、内面支持体部分を肉厚にしたり、補強材１４を入れるなどの調整をして強度を上げる。
【００１０】
図４〜６は、家庭にある素材を用いてフィルターを作る方法を示す。図４はクッキングペーパー７を複数枚（図では６枚程度）重ねて３辺をステープラー等で固定した（縫い合わせた）ところである。ステープル８の間隔の最低限度と思われる密度を図４に示す。この程度であれば、小学校低学年の児童でも作業が可能であろう。３辺を固定したクッキングペーパーは図５に示すように、両側が同じ枚数になるように裏返す。これは、縫い合わせの部分からの内容物の流出を防ぐことと、袋状フィルター内部の表面積を増やす目的がある。
【００１１】
図６はフィルターの完成した状態を示している。袋状クッキングペーパーフィルター７１の開口部を内面支持体１２のパッキン１１付近まで被せた状態でガイド溝Aに沿うように面ファスナーテープ４を巻きつけて固定する。袋状クッキングペーパーフィルター７１はガイド溝Aの終端Bと面ファスナーテープとの間で嵌め合わさり、固定される。
【００１２】
（実施例２）
図７は実施例１のデザインを引き継ぎながら紙パック式の吸引掃除機用に変更したもので、パッキン２１は軟質ゴム製、内面支持体２２は硬質プラスチック製を想定している。図７(a)にあるように、内面支持体２２の上部フランジCは市販の紙パックの開口部にある厚紙製の支持板の形状に合わせており、不要部分を折り取るなどして目的の形状に合わせて使用する。実施例１の場合と同じように、クッキングペーパー等で作成した袋状フィルター（紙パック）を内面支持体２２の外側から被せて面ファスナーをガイド溝Aに沿って巻きつけ、内面支持体２２と袋状フィルターを嵌め合わせて使用する。
【００１３】
（実施例３）
図８は市販の紙パックの厚紙製支持板７を用いることで、実施例２をより簡易にしようとするものである。図８(a)の吸入口側支持体３１のラチェット溝Ｇには数段階の歯があり、排出口側支持体３２の戻り止めＨが噛み合って、支持板９の厚さによらず固定される。図９(a)に示すように、吸入口側支持体３１のフランジＥと、排出口側支持体のフランジＣとの間で支持板９を挟み込むと、図９(b)のように、ラチェット溝Ｇと戻り止めＨが噛み合い、支持板９を固定する。
【００１４】
図１０はクッキングペーパーを用いて大き目の紙パックを作るための一例で、図７（a)はクッキングペーパー３枚程度を１つの面になるように重ね、３面をYの字状に重ねて、開口部となる辺を残してそれ以外の辺を全てステープル８で固定し（縫い合わせ）たところである。図７（ｂ）では、ステープル８で縫い合わせたクッキングペーパーフィルター７２を裏返したところである。
【００１５】
図１１は、実施例１の黒板消しクリーナー用のサイズに作成した小型の袋状クッキングペーパーフィルター７１を実施例３のフィルターアタッチメント３に装着したもので、クッキングペーパーを６枚程度しか使わないため、こまめな掃除に適している。図１２は、図１０のように作成した大型の袋状クッキングペーパーフィルター７２を実施例３のフィルターアタッチメント３に装着したものである。
【００１６】
図１３、１４は実施例３をさらに簡略化したものである。図１４(a)に示すように、軟質ゴム製の吸入口部材３１のフランジＥと、硬質プラスチック製の排出口部材３２のフランジＣとの間で支持板９を挟み込み、図９(b)のように、吸入口部材３１の軟質チューブＦを排出口部材３２の内側から外側へと折り曲げて被せることで、支持板９を固定する。
【符号の説明】
【００１７】
1   実施例１のフィルターアタッチメント（黒板消しクリーナー用・実施例１）
11  パッキン
12  内面支持体
13  内面支持体(一体型）
14  補強材
2   実施例２のフィルターアタッチメント（吸引掃除機用・実施例２）
21  パッキン
22  内面支持体
3   実施例３のフィルターアタッチメント（吸引掃除機用・実施例３）
31  吸入口部材（内面支持体）
32  排出口部材（内面支持体）
4   面ファスナーテープ（外面支持体）
7   キッチンペーパー
71  小型紙パック
72  大型紙パック
8   ステープル
9   市販紙パック開口部の厚紙製支持板
A   面ファスナーガイド溝
B   フィルター押さえ
C   本体フランジ
C’   パッキン固定溝
D   エクステンション
E   吸入口側フランジ
F   軟質ゴムパイプ
G   ラチェット溝
H   戻り止め
【図１】
2018149388.tif 000003
【図２】
2018149388.tif 000004
【図３】
2018149388.tif 000005
【図４】
2018149388.tif 000006
【図５】
2018149388.tif 000007
【図６】
2018149388.tif 000008
【図７】
2018149388.tif 000009
【図８】
2018149388.tif 000010
【図９】
2018149388.tif 000011
【図１０】
2018149388.tif 000012
【図１１】
2018149388.tif 000013
【図１２】
2018149388.tif 000014
【図１３】
2018149388.tif 000015
【図１４】
2018149388.tif 000016